(57)【要約】【課題】用紙搬送性、機内温度、定着ローラーの端部冷却、および、ＵＦＰ捕集を、画像形成装置のコストの上昇、および、画像形成装置の大型化を抑制しながら実現可能な画像形成装置を提供する。【解決手段】この画像形成装置１００は、用紙Ｓにトナー画像を転写する２次転写ローラー３０ｒと、用紙Ｓの搬送方向の下流側に設けられ、用紙上に転写されたトナー画像を定着させる定着ローラー２０ｒを含む定着装置２０と、２次転写ローラー３０ｒを通過するようにエアーを吸引する用紙引付ファンユニット１０と、用紙引付ファンユニット１０に設けられ、用紙引付ファンユニット１０から吐出されるエアーを定着ローラー２０ｒに向けて吐出させるガイド部材１２と、ガイド部材１２から吐出されたエアーを通過させて排出するフィルター装置５０とを備え、ガイド部材１２は、少なくとも定着ローラー２０ｒの回転軸の両端部に向けて、回転軸に交差する方向にエアーを案内する。【選択図】図２
2019191287.tif 000002
【特許請求の範囲】
【請求項１】
用紙にトナー画像を転写する２次転写ローラーと、
前記用紙の搬送方向の下流側に設けられ、前記用紙上に転写された前記トナー画像を定着させる定着ローラーを含む定着装置と、
前記２次転写ローラーを通過するようにエアーを吸引する用紙引付ファンユニットと、
前記用紙引付ファンユニットに設けられ、前記用紙引付ファンユニットから吐出されるエアーを前記定着ローラーに向けて吐出させるガイド部材と、
前記ガイド部材から吐出されたエアーを通過させて排出するフィルター装置と、を備え、
前記ガイド部材は、少なくとも前記定着ローラーの回転軸の両端部に向けて、前記回転軸に交差する方向にエアーを案内する、画像形成装置。
【請求項２】
前記定着ローラーの上流側に、前記用紙引付ファンユニットから吐出されるエアーの経路を、前記用紙のサイズに応じて切り替える、経路切替装置をさらに備える、請求項１に記載の画像形成装置。
【請求項３】
前記用紙のサイズが大きい場合は、前記経路切替装置により、前記定着装置の上流側のエアー経路を、前記定着ローラーを外す位置にする、請求項２に記載の画像形成装置。
【請求項４】
前記フィルター装置は、
前記ガイド部材から吐出されたエアーを１箇所に集約するフィルターダクトと、
前記フィルターダクトにより集約されたエアーを通過させるフィルター部材と、を有する、請求項１から請求項３のいずれか１項に記載の画像形成装置。
【請求項５】
前記フィルター部材は、ＵＦＰを捕集するフィルターである、請求項４に記載の画像形成装置。
【請求項６】
前記フィルターダクトには、外気を取り込むための外気取込みダクトが連通されている、請求項４または請求項５に記載の画像形成装置。
【請求項７】
前記外気取込みダクトの中心線は、前記フィルターダクトが延びる線に対して鋭角をなすように交差している、請求項６に記載の画像形成装置。
【請求項８】
前記外気取込みダクトは、前記フィルターダクトに向うにしたがって、窄む形態を有している、請求項６または請求項７に記載の画像形成装置。
【請求項９】
前記２次転写ローラーが設けられる搬送ガイドを含み、
前記搬送ガイドには、前記２次転写ローラーに向けてエアーを通過させるためのエアー吸引口が設けられ、
前記エアー吸引口は、前記２次転写ローラーの後流側に設けられている、請求項１から請求項８のいずれか１項に記載の画像形成装置。
【請求項１０】
前記エアー吸引口は、前記２次転写ローラーの中央領域を含むように設けられている、請求項９に記載の画像形成装置。
【請求項１１】
前記用紙引付ファンユニットは、ファンを含み、
前記用紙の紙種に応じて前記ファンの風量を切換える、請求項１から請求項１０のいずれか１項に記載の画像形成装置。
【請求項１２】
前記用紙を通紙しない場合にも、前記ファンを回転させる、請求項１１に記載の画像形成装置。
【発明の詳細な説明】
【技術分野】
【０００１】
この発明は、複写機、レーザービームプリンタ、ＦＡＸやこれら複合機等の画像形成装置に関する。
【背景技術】
【０００２】
画像形成装置は、用紙へのトナー画像を定着させるために、定着装置を用いてトナー画像に熱を加えている。定着装置の内部に設けられた定着ローラーは、用紙が通紙した領域は用紙に熱が伝わるために温度が低下する。そのため、用紙の通紙時に、常に熱を加える必要がある。その結果、用紙が通紙していない定着ローラーの端部においては高温となる傾向がある。
【０００３】
他方、用紙の搬送速度の高速化が進むに連れて、２次転ローラーの排出部の用紙安定性が不安定となること、定着装置の熱が高温になることでＵＦＰ（Ultrafine  Particle）の放出量が増加すること、画像形成装置内の温度が上昇すること、という課題も顕在化している。
【０００４】
特開２００６−３４９８２６号公報（特許文献１）および特開２０１６−５１０００号公報（特許文献２）には、定着ローラーに向けてエアーを流すことで、ＵＦＰの放出量を低減させる技術が開示されている。特開２０１３−１９０６２７号公報（特許文献３）には、定着装置において、加圧ローラーを冷却する冷却ファンを設ける技術が開示されている。
【先行技術文献】
【特許文献】
【０００５】
【特許文献１】特開２００６−３４９８２６号公報
【特許文献２】特開２０１６−５１０００号公報
【特許文献３】特開２０１３−１９０６２７号公報
【発明の概要】
【発明が解決しようとする課題】
【０００６】
画像形成装置に、用紙の搬送性を安定させるファン、定着ローラー端部を冷却するファン、および、ＵＦＰを捕集するファンを設置することで、夫々の課題を解決することができる。しかし、ファンの増設により、画像形成装置のコストの上昇、および、画像形成装置の大型化という新たな課題が発生する。
【０００７】
この発明は上記課題を解決することを目的とし、用紙搬送性を安定させるファンの吐出しエアーを用いて、定着ローラーの端部を冷却し、その排出エアーをフィルターを通して排出することで、用紙搬送性、機内温度、定着ローラーの端部冷却、および、ＵＦＰ捕集を、画像形成装置のコストの上昇、および、画像形成装置の大型化を抑制しながら実現する画像形成装置を提供することにある。
【課題を解決するための手段】
【０００８】
この画像形成装置においては、用紙にトナー画像を転写する２次転写ローラーと、上記用紙の搬送方向の下流側に設けられ、上記用紙上に転写された上記トナー画像を定着させる定着ローラーを含む定着装置と、上記２次転写ローラーを通過するようにエアーを吸引する用紙引付ファンユニットと、上記用紙引付ファンユニットに設けられ、上記用紙引付ファンユニットから吐出されるエアーを上記定着ローラーに向けて吐出させるガイド部材と、上記ガイド部材から吐出されたエアーを通過させて排出するフィルター装置と、を備え、上記ガイド部材は、少なくとも上記定着ローラーの回転軸の両端部に向けて、上記回転軸に交差する方向にエアーを案内する。
【０００９】
他の形態においては、上記定着ローラーの上流側に、上記用紙引付ファンユニットから吐出されるエアーの経路を、上記用紙のサイズに応じて切り替える、経路切替装置をさらに備える。
【００１０】
他の形態においては、上記用紙のサイズが大きい場合は、上記経路切替装置により、上記定着装置の上流側のエアー経路を、上記定着ローラーを外す位置にする。
【００１１】
他の形態においては、上記フィルター装置は、上記ガイド部材から吐出されたエアーを１箇所に集約するフィルターダクトと、上記フィルターダクトにより集約されたエアーを通過させるフィルター部材と、を有する。
【００１２】
他の形態においては、上記フィルター部材は、ＵＦＰを捕集するフィルターである。
他の形態においては、上記フィルターダクトには、外気を取り込むための外気取込みダクトが連通されている。
【００１３】
他の形態においては、上記外気取込みダクトの中心線は、上記フィルターダクトが延びる線に対して鋭角をなすように交差している。
【００１４】
他の形態においては、上記外気取込みダクトは、上記フィルターダクトに向うにしたがって、窄む形態を有している。
【００１５】
他の形態においては、上記２次転写ローラーが設けられる搬送ガイドを含み、上記搬送ガイドには、上記２次転写ローラーに向けてエアーを通過させるためのエアー吸引口が設けられ、上記エアー吸引口は、上記２次転写ローラーの後流側に設けられている。
【００１６】
他の形態においては、上記エアー吸引口は、上記２次転写ローラーの中央領域を含むように設けられている。
【００１７】
他の形態においては、上記用紙引付ファンユニットは、ファンを含み、上記用紙の紙種に応じて上記ファンの風量を切換える。
【００１８】
他の形態においては、上記用紙を通紙しない場合にも、上記ファンを回転させる。
【発明の効果】
【００１９】
この画像形成装置によれば、用紙搬送性を安定させるファンの吐出しエアーを用いて、定着ローラーの端部を冷却し、その排出エアーをフィルターを通して排出することで、用紙搬送性、機内温度、定着ローラーの端部冷却、および、ＵＦＰ捕集を、画像形成装置のコストの上昇、および、画像形成装置の大型化を抑制しながら実現する画像形成装置の提供を可能とする。
【図面の簡単な説明】
【００２０】
【図１】実施の形態の画像形成装置の全体構成を示す概略図である。
【図２】実施の形態の２次転写部を含む領域の部分拡大図である。
【図３】実施の形態の用紙引付ファンユニットの構成の概略を示す斜視図である。
【図４】図２中のＩＶ線矢視図である。
【図５】実施の形態の用紙引付ファンユニットおよびフィルター装置の構成を示す図である。
【図６】実施の形態の開口調整機構を示す概略図である。
【図７】実施の形態の開口調整機構の第１状態を示す図である。
【図８】実施の形態の開口調整機構の第２状態を示す図である。
【図９】実施の形態の開口調整機構の第３状態を示す図である。
【図１０】実施の形態の経路切替装置の第１状態を示す図である。
【図１１】実施の形態の経路切替装置の第２状態を示す図である。
【図１２】実施の形態の外気取込み口の外観を示す斜視図である。
【図１３】実施の形態の外気取込み口の構成を示す縦断面図である。
【図１４】実施の形態のフィルター装置のフィルターダクトの開口面積と、外気取込み口のフィルターダクト側の開口面積との関係を示す図である。
【発明を実施するための形態】
【００２１】
以下、図を参照しながら、本実施の形態における画像形成装置について説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。図面においては、実際の寸法の比率に従って図示しておらず、構造の理解を容易にするために、構造が明確となるように比率を変更して図示している箇所がある。
【００２２】
（画像形成装置１００）
図１から図５を参照して、本実施の形態における画像形成装置１００の概略構成を説明する。図１は、画像形成装置１００の内部構成を示す概略図、図２は、２次転写部３０を含む領域の部分拡大図、図３は、用紙引付ファンユニット１０の構成の概略を示す斜視図、図４は、図２中のＩＶ線矢視図、図５は、用紙引付ファンユニット１０およびフィルター装置５０の構成を示す図である。
【００２３】
図１を参照して、画像形成装置１００は、装置本体２と、用紙収容部９とを主として備えている。装置本体２は、記録媒体としての用紙Ｓに画像を形成するための部位である画像形成部２Ａと、画像形成部２Ａに用紙Ｓを供給するための部位である給紙部２Ｂとを含んでいる。用紙収容部９は、画像形成部２Ａに供給するための用紙Ｓを収納するものであり、給紙部２Ｂに着脱自在に設けられている。
【００２４】
画像形成装置１００の内部には、複数のローラー３が設置されており、これにより用紙Ｓが所定の方向に沿って搬送される搬送経路４が、上述した画像形成部２Ａおよび給紙部２Ｂに跨って構築されている。図１中に示すように、装置本体２には、画像形成部２Ａに用紙Ｓを供給するための手差しトレイ９ａが別途設けられていてもよい。
【００２５】
画像形成部２Ａは、たとえばイエロー（Ｙ）、マゼンタ（Ｍ）、シアン（Ｃ）およびブラック（Ｋ）の各色のトナー画像を形成可能な作像ユニット５、作像ユニット５に張架された中間転写ベルト７ａと、搬送経路４上であってかつ中間転写ベルト７ａの走路上に設けられた２次転写部３０と、２次転写ローラー３０ｒを含む２次転写部３０よりも下流側の部分の搬送経路４上に設けられた、定着装置２０とを主として備えている。
【００２６】
作像ユニット５は、トナー画像を感光体の表面に形成し、これを中間転写ベルト７ａに転写する（いわゆる一次転写）。これにより、中間転写ベルト７ａには、カラートナー画像あるいはモノクロトナー画像のトナー画像が形成される。
【００２７】
中間転写ベルト７ａは、その表面に形成されたトナー画像を２次転写部３０へと移送し、給紙部２Ｂから２次転写部３０へと搬送されてきた用紙Ｓとともに２次転写部３０において圧接される。これにより、中間転写ベルト７ａの表面に形成されたトナー画像が用紙Ｓへと転写される（いわゆる２次転写）。
【００２８】
トナー画像が転写された用紙Ｓは、定着装置２０の加熱装置２０ｈおよび定着ローラー２０ｒにより、用紙Ｓ上のトナー画像が定着される。これにより、用紙Ｓに画像が形成される。その後、用紙Ｓは、装置本体２から排出される。
【００２９】
画像形成装置１００は、検出部１２と制御部１３とをさらに備えている。検出部１２は、用紙収容部９から搬送経路４に沿って搬送される用紙Ｓのサイズを検出する。
【００３０】
画像形成装置１００は、搬送ガイド１５０を備える。搬送ガイド１５０には、２次転写ローラー３０ｒが、その回転軸３０ａ（図５参照）を中心に回転可能に取り付けられている。さらに、搬送ガイド１５０には、用紙引付ファンユニット１０が取り付けられている。
【００３１】
図２から図４を参照して、用紙引付ファンユニット１０は、クロスフローファン１１を２つ有する。クロスフローファン１１は、それぞれ定着ローラー２０ｒの回転軸２０ａ（図４参照）の軸方向で見た場合に、両側に配置されている。クロスフローファン１１は、定着装置２０の上流側に位置している。このクロスフローファン１１は用紙Ｓを２次転写ローラー３０ｒから分離させることと、用紙Ｓの姿勢を安定させる効果を持たせるために、２次転写ローラー３０ｒの下流側の直後の搬送ガイド１５０にエアー吸引口１５０Ｗを設けてエアーを吸引している。
【００３２】
図４を参照して、搬送ガイド１５０に設けられるエアー吸引口１５０Ｗは、２次転写ローラ−３０ｒの後流側に設けるとよい。さらに、２次転写ローラ−３０ｒの中央領域を含むように開口を設けるとよい。
【００３３】
さらに、エアー吸引口１５０Ｗの開口高さ（Ｄ２）は、定着ローラー２０ｒの回転軸２０ａと２次転写ローラー３０ｒの回転軸３０ａとの間の距離をＤ１とした場合に、［Ｄ１／２］＞Ｄ２（Ｄ３＞Ｄ２）の関係であるとよい。
【００３４】
これにより、用紙Ｓの２次転写ローラ−３０ｒからの分離性を補助するとともに、用紙Ｓの搬送性の安定化を向上させることができる。なお、本実施の形態では、エアー吸引口１５０Ｗは、一つの穴から構成される横長の長方形形状の形態を採用しているが、複数の穴を設けてエアー吸引口１５０Ｗとしてもよい。
【００３５】
クロスフローファン１１は、中心部からエアーを吸い込み、定着装置２０の定着ローラー２０ｒ側にエアーを吹き出す。クロスフローファン１１は、エアーを定着ローラー２０ｒ側に案内するダクト１２ｄと、このダクト１２ｄに連続して設けられ、ダクト１２ｄから突出されるエアーを定着ローラー２０ｒ側に整流する複数のフィン１２ｒを有している。
【００３６】
クロスフローファン１１から吐出されたエアーは、ダクト１２ｄおよびフィン１２ｒを通過し、定着ローラー２０ｒの両端部に向けて、定着ローラー２０ｒの回転軸２０ａ方向に対して交差する方向（図示において上方）に吹き出される。
【００３７】
図５を参照して、２つのクロスフローファン１１の上方（エアー流れの下流側）には、フィルター装置５０が設けられている。フィルター装置５０は、両側のフィン１２ｒを覆う一つのフィルターダクト５１を有し、クロスフローファン１１から吐出されたエアーを１箇所に集約する。
【００３８】
フィルターダクト５１の内部には、エアーを上方（エアー流れの下流側）に向けて吸引する吸引ファン５２が２カ所に設けられている。さらに、吸引ファン５２の上方（エアー流れの下流側）には、フィルター部材５３が設けられている。本実施の形態では、フィルター部材５３には、ＵＦＰを捕集するフィルターを設けることが好ましい。
【００３９】
上述のように、クロスフローファン１１から吐出されたエアーを１箇所に集約するフィルターダクト５１を採用することで、クロスフローファン１１の数量に関係なく、一つのフィルター部材５３を準備するだけでよい。
【００４０】
吸引ファン５２は、用紙引き付け用のクロスフローファン１１から吐き出されたエアーを吸引し、定着装置２０を通過した後に用紙Ｓと一緒に用紙の排紙口に排気されないようにしている。
【００４１】
このように本実施の形態における画像形成装置１００においては、２次転写ローラー３０ｒが取り付けられた搬送ガイド１５０に取り付けられたクロスフローファン１１を用いて、定着装置２０の上流側の搬送ガイド１５０に設けられたエアー吸引口１５０Ｗからエアーを吸引し、そのエアーを定着ローラー２０ｒの軸方向の両端部に向けて、定着ローラー２０ｒの回転軸２０ａ方向に対して交差する方向に吐出し、さらに、そのエアーをフィルター装置５０を通して排出している。
【００４２】
これにより、用紙搬送性を安定させるクロスフローファン１１の吐出しエアーを用いて、定着ローラー２０ｒの端部を冷却し、その排出エアーをフィルター装置５０を通して排出することで、用紙搬送性、機内温度、定着ローラー２０ｒの端部冷却、および、ＵＦＰ捕集を、画像形成装置のコストの上昇、および、画像形成装置の大型化を抑制しながら実現することができる。
【００４３】
上記実施の形態では、２個のクロスフローファン１１を設けるようにしたが、１個のクロスフローファン１１を用いて、定着ローラー２０ｒの両端部に向けてエアーを送風するようにしてもよい。
【００４４】
（開口調整機構４０）
以下、好ましい実施の形態について説明する。図６から図９を参照して、定着ローラー２０ｒへのエアーの吐き出し口の開口調整機構４０の一例について説明する。図６は、開口調整機構４０を示す概略図、図７から図９は、開口調整機構４０の第１状態から第３状態を示す図である。開口調整機構４０の制御は、検出部１２によって検出された用紙Ｓのサイズに基づき、制御部１３により実行される。
【００４５】
図６を参照して、開口調整機構４０は、ピニオンギアを有するステッピングモーター４４を有し、ピニオンギアに螺合する一対のラック４３が設けられている。それぞれのラック４３には、開閉板４３ａが設けられ、ダクト１２ｄの内部に向って突出可能に設けられている。ダクト１２ｄの内部には、開閉板４３ａに当接することにより、回動可能な回動板４１が設けられている。回動板４１は、軸４１ｄを有し、回動バネ４５により起立状態が維持するように付勢されている。なお、左右の開口調整機構４０の構成は同じであることから、以下では、図示において左側の開口調整機構４０の構成について説明する。
【００４６】
図７に示す状態は、開閉板４３ａは、ダクト１２ｄの内部から後退した位置に待機しており、ダクト１２ｄの内部は開放された状態となっている。その結果、クロスフローファン１１から吐出されるエアーは、全てが定着ローラー２０ｒの両端部側に送られる。この状態は、用紙Ｓのサイズ（定着ローラー２０ｒの回転軸２０ａ方向のサイズ）が比較的小さい場合、つまり、定着ローラー２０ｒの両端部において、用紙Ｓの非通過領域の面積が大きい場合に採用される。
【００４７】
図８に示す状態は、ステッピングモーター４４の回転を制御して、開閉板４３ａが回動板４１に当接する位置にまで突出させた状態を示している。この状態では、ダクト１２ｄの内側部分が開閉板４３ａによって閉鎖され、外側方向にクロスフローファン１１から吐出されるエアーが案内される。この状態は、用紙Ｓのサイズが最大ではないものの、図６に示す状態のサイズよりも大きい場合に採用される。
【００４８】
図９に示す状態は、ステッピングモーター４４の回転を制御して、開閉板４３ａが回動板４１に当接し、さらに、回動バネ４５の付勢力に対抗して、開閉板４３ａが回動板４１を押し倒す位置にまで、突出させた状態を示している。この状態では、ダクト１２ｄの内側部分が開閉板４３ａおよび回動板４１によって閉鎖され、クロスフローファン１１から吐出されるエアーは定着ローラー２０ｒ側には送り込まれない。この状態は、用紙Ｓのサイズが最大の場合に採用される。
【００４９】
このように、用紙Ｓのサイズが小さい場合には、定着ローラー２０ｒの非通紙領域が大きなるため、ダクト１２ｄの送風面積を大きくし、用紙Ｓのサイズが大きい場合には、定着ローラー２０ｒの非通紙領域が小さくなるため、ダクト１２ｄの送風面積を小さくする制御を行なうことができる。
【００５０】
（経路切替装置１２０）
用紙Ｓのサイズが大きい場合には、定着ローラー２０ｒの非通紙領域が小さくなるため、クロスフローファン１１から吐出されるエアーを定着ローラー２０ｒに送り込まなくても良い場合が考えられる。このような場合には、図２に示すように、クロスフローファン１１の上部に、経路切替装置１２０を設けるようにすると良い。
【００５１】
図１０および図１１に、経路切替装置１２０の概略構成を示す。図１０および図１１は、経路切替装置１２０の第１状態および第２状態を示す図である。経路切替装置１２０は、定着ローラー２０ｒの上流側に設けられ、経路切替板１２１と、ステッピングモーター１２２とを有する。経路切替板１２１とステッピングモーター１２２との間には、ラックアンドピニオン機構により、経路切替板１２１をクロスフローファン１１の上部に向けて突出可能としている。
【００５２】
図１０に示す状態においては、経路切替板１２１は、後退した位置に待機しており、クロスフローファン１１から吐出されるエアーは、全て定着ローラー２０ｒに送り込まれる経路Ａ１１を流れる。図１１に示す状態においては、経路切替板１２１はステッピングモーター１２２により位置が制御され、クロスフローファン１１側に突出した位置に移動させられている。クロスフローファン１１から吐出されるエアーは、経路切替板１２１に遮られ、定着ローラー２０ｒからは遠ざかり、定着ローラー２０ｒから外れる位置の経路Ａ１２を流れることとになる。
【００５３】
このように、経路切替装置１２０を用いて、用紙Ｓのサイズに応じて、クロスフローファン１１から吐出されるエアーの流路を切替えることにより、用紙Ｓのサイズが大きい場合は定着ローラー２０ｒを冷やすと無駄な電力を消費してしまうため、定着ローラー２０ｒにエアーが触れない経路Ａ１２に沿ってエアーを突出させる。
【００５４】
用紙Ｓのサイズが小さい場合は、定着ローラー２０ｒの端部を冷却するために経路Ａ１１を通って定着ローラー−２０ｒに交差する方向にエアーを突出させる。さらに、用紙Ｓのサイズが小さければ小さいほど、上述したようにダクト１２ｄの送風面積を大きくして、定着ローラー２０ｒの端部の冷却範囲を広げるとよい。
【００５５】
（外気取込みダクト８０）
図１、図２、および、図１２から図１４を参照して、外気取込みダクト８０について説明する。図１２は、外気取込みダクト８０の外観を示す斜視図、図１３は、外気取込みダクト８０の構成を示す縦断面図、図１４は、フィルター装置５０のフィルターダクト５１の開口面積Ａ１と、外気取込みダクト８０のフィルターダクト５１側の開口面積Ａ２との関係を示す図である。
【００５６】
画像形成装置１００の筐体１０１には、外気取込みダクト８０が設けられている。この外気取込みダクト８０は、フィルター装置５０のフィルターダクト５１に連通している内部ダクト８１と、画像形成装置１００の幅方向に延びる複数のルーバー８０ｒとを有している。ルーバー８０ｒは、風向の調整と外部からの異物の混入を防止している。
【００５７】
外気取込みダクト８０からフィルターダクト５１に至るまで、内部ダクト８１が設けられ、外気取込みダクト８０から取り込まれた機外のエアーは、内部ダクト８１を通じてフィルターダクト５１の内部に送り込まれる。内部ダクト８１のフィルターダクト５１への連結位置は、吸引ファン５２の上流側の位置が好ましい。
【００５８】
内部ダクト８１の上下壁の間隔は、外側から内側に向って窄む形態を有しいてる。このように窄む形態を採用することで、機外から取り入れられたエアーの流速を徐々に速める効果が得られる。
【００５９】
図１３を参照して、外気取込みダクト８０の上下の壁の間隔の中間位置を結んで形成される外気取込みダクト８０の中心線ＣＬ１は、フィルターダクト５１が延びる線ＶＬに対して鋭角（β１）をなすように交差しているとよい。この構成により、フィルターダクト５１の内部に存在するＵＦＰを含んだエアーの機外への放出を防止することができる。
【００６０】
図１４を参照して、フィルター装置５０のフィルターダクト５１の開口面積Ａ１（Ｗ１１×Ｗ１２）と、外気取込みダクト８０のフィルターダクト５１側の開口面積Ａ２（Ｗ２１×Ｗ２２）との関係は、Ａ１＞Ａ２となっているとよい。この面積の関係にすることにより、内部ダクト８１の内部よりもフィルターダクト５１の内部の方が負圧状態となり、フィルターダクト５１の内部に存在するＵＦＰを含んだエアーの機外への放出をさらに防止することができる。
【００６１】
さらに、クロスフローファン１１および吸引ファン５２（以下、総称してファンと称する）のそれぞれの風量は、用紙Ｓの紙種（坪量）によって調整可能である。薄い用紙Ｓは、厚い用紙Ｓよりもファンの風量を少なくなるように制御するとよい。ファンの回転タイミングは、用紙Ｓを通紙している時だけでなく、連続印刷時において、用紙Ｓと次の用紙Ｓとの間の用紙Ｓが通過していない間に回転を開始させたり、定着装置２０に熱を与え始めたタイミングから回転を開始させるとよい。
【００６２】
用紙Ｓを通紙しない場合にも、ファンを回転させることで、ＵＦＰの放出量を抑制することができる。
【００６３】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００６４】
２  装置本体、２Ａ  画像形成部、２Ｂ  給紙部、３  ローラー、４  搬送経路、５  作像ユニット、７ａ  中間転写ベルト、９  用紙収容部、９ａ  手差しトレイ、１０  用紙引付ファンユニット、１１  クロスフローファン、１２  検出部、１２ｄ  ダクト、１２ｒ  フィン、１３  制御部、２０  定着装置、２０ａ，３０ａ  回転軸、２０ｈ  加熱装置、２０ｒ  定着ローラー、３０  ２次転写部、３０ｒ  ２次転写ローラー、４０  開口調整機構、４１  回動板、４１ｄ  軸、４３  ラック、４３ａ  開閉板、４４，１２２  ステッピングモーター、４５  回動バネ、５０  フィルター装置、５１  フィルターダクト、５２  吸引ファン、５３  フィルター部材、８０  外気取込みダクト、８０ｒ  ルーバー、８１  内部ダクト、１００  画像形成装置、１０１  筐体、１２０  経路切替装置、１２１  経路切替板、１５０  搬送ガイド、１５０Ｗ  エアー吸引口。
【図１】
2019191287.tif 000003
【図２】
2019191287.tif 000004
【図３】
2019191287.tif 000005
【図４】
2019191287.tif 000006
【図５】
2019191287.tif 000007
【図６】
2019191287.tif 000008
【図７】
2019191287.tif 000009
【図８】
2019191287.tif 000010
【図９】
2019191287.tif 000011
【図１０】
2019191287.tif 000012
【図１１】
2019191287.tif 000013
【図１２】
2019191287.tif 000014
【図１３】
2019191287.tif 000015
【図１４】
2019191287.tif 000016